(57)【要約】【課題】機器部に対して、電源やネットワークケーブル端子の接続を、作業性を低下させることなく、また、機器部を所望する方向に選択でき、その方向に位置決めし得るようにすること。【解決手段】クランプ部２には、係合部６が設けられるとともに、コンセント３１１や情報コンセント３１２などで構成される機器部３には、被係合部７が設けられ、前記係合部６と前記被係合部７とは、前記クランプ部２に対して、前記機器部３を水平面の複数方向に位置決めし得るように設けられている。【選択図】　　図１
2004125026.tif 000002
【特許請求の範囲】
【請求項１】
天板を挟持するクランプ部と、前記クランプ部に保持される機器部とからなる機器取付装置において、前記クランプ部には、係合部が設けられるとともに、前記機器部には、被係合部が設けられ、前記係合部と前記被係合部とは、前記クランプ部に対して、前記機器部を水平面の複数方向に位置決めし得るように設けられていることを特徴とする機器取付装置。
【請求項２】
前記係合部と前記被係合部とは、一方が凸部からなるとともに、他方が凹部からなること、または、互いに係合可能な凹凸部からなることを特徴とする請求項１記載の機器取付装置。
【請求項３】
前記凸部は、略円形状突起からなるとともに、前記凹部は、円周方向に連続的に設けられることを特徴とする請求項２記載の機器取付装置。
【請求項４】
前記係合部と前記被係合部とは、いずれも、円周方向に連続的な鋸刃状、または波状に設けられることを特徴とする請求項１記載の機器取付装置。
【請求項５】
前記係合部と前記被係合部は、一方が軸部からなり、他方が孔部からなることを特徴とする請求項１記載の機器取付装置。
【請求項６】
前記軸部は、多角形状または異形状の断面からなり、前記孔部は、前記軸部に対応した孔形状からなることを特徴とする請求項５記載の機器取付装置。
【発明の詳細な説明】
【０００１】
【発明の属する技術分野】
本発明は、天板上に電源用のコンセントをはじめ、その他の機器を取り付けるために利用される機器取付装置に関するものである。
【０００２】
【従来の技術】
テーブル等の天板上で作業するために使用されるコンピューター機器やその付属機器などの電源は、テーブル等の天板側縁部にねじ込み式のクランプにより所定方向に位置決めされたコンセントから供給される。このうち一般的な機器取付装置としては、板金素材を折曲加工して上片、下片及び側片をコ字形に連設したフレームと、このフレームの上片に設けたねじ孔に進退可能に螺装されるクランプ本体とを備え、このクランプ本体をねじ込んでその下端とフレームの下片との間で天板を狭持し、クランプ本体の上端にコンセントを固設したものが知られている。また、コンピューター装置等のネットワークケーブル端子を接続する情報コンセントも同様である。
【０００３】
ところが、このような構成のものは、天板等の側縁部などに、所定の方向に固設されているため、使用者に対して、コンセントや情報コンセントは正対位置になく、コンピューター等の電源等をコンセント等へ接続するために、コンセント等に無理な姿勢での接続を強いられ、極めて作業性が悪い。（例えば、特許文献１参照。）
そこで、コンセントや情報コンセントは、所定の方向に設定せずに、電話台やタスクライトなどを回動自在に保持する取付装置を利用して、使用者に対していかなる位置に対応できるように常時回動自在に設定することが考えられている。これにより、上述した問題は若干解消される。（例えば、特許文献２参照。）
【０００４】
【特許文献１】
特開平２０００−１０４７１２号公報　（第３−６頁、第１図）
【特許文献２】
実開平６−８０９９８号公報　（第１―３頁、第１図）
【０００５】
【発明が解決しようとする課題】
ところが、このような構成では、コンセントに対して電源の装着操作時に生じる押圧力が作用することで、コンセントや情報コンセントは、その押圧力に抗しきれず回転してしまい、これにより、接続の作業性が著しく低下し、コンセントの保持が不安定になる。
【０００６】
【課題を解決するための手段】
本発明は、このような課題に着目してなされたものであって、コンセントや情報コンセントに対して、電源やネットワークケーブル端子の接続を、作業性を低下させることなく、また、コンセントや情報コンセントを所望する方向に選択でき、その方向に位置決めし得るようにした機器取付装置を提供しようとするものである。
【０００７】
上記目的を達成するために、本発明は、クランプ部には、係合部が設けられるとともに、コンセントや情報コンセントなどで構成される機器部には、被係合部が設けられ、前記係合部と前記被係合部とは、前記クランプ部に対して、前記機器部を水平面の複数方向に位置決めし得るように設けられていることを特徴とする。
【０００８】
このような構成にすれば、被係合部を設けた機器部は、係合部を設けた前記クランプ部との係合作用により、コンセントや情報コンセントを、所望する水平面の複数方向に可変でき、かつ位置決めすることができる。
【０００９】
位置決めを安定してなし得るためには、前記係合部と被係合部とは、一方が凸部からなり、他方が凸部からなること、または、互いに係合可能な凹凸部からなることが好ましい。この場合、前記凸部は略円形状突起として、前記凹部は、円周方向に連続的に設けることが好ましい。ここで、連続的とは、二つ以上の方向に位置決めし得るようにすることを意味する。これにより、機器部は、凹部と凸部の係合作用により、簡便な操作性でクランプ部に対して安定して位置決めし得ることが可能となる。
【００１０】
さらに、前記係合部と被係合部とは、いずれも円周方向に連続的な鋸刃状、または波状に設けることが好ましい。
【００１１】
さらに、前記係合部と被係合部とは、一方が軸部からなり、他方が孔部からなることが好ましい。一例としては、前記軸部は、多角形状または異形状の断面とし、前記孔部は、前記軸部に対応した孔形状とすることがあげられる。
【００１２】
本発明は、機器部が、天板を挟持するクランプ部に保持されるコンセントや情報コンセントである場合に極めて有用なものとなり得る。
【００１３】
【発明の実施の形態】
以下、本発明の実施の形態を、図１から図１２を参照して説明する。
【００１４】
＜第１の実施形態＞
この機器取付装置１は、図１から図４に示すように、天板４を挟持するクランプ部２に、コンセント等の機器部３を取付ける際に適用されるもので、
クランプ部２は、天板４を下面４２側又は上面４１側からそれぞれ挟持するフレーム２１及びクランプ本体２２と、このフレーム２１の上方から螺装されクランプ本体２２をフレーム２１に対して上下移動させるねじ要素２３とからなり、機器部３は、コンセント３１１を埋設する機器本体３１と、前記機器本体３１の下端側に、一体的に設けられた周壁３２１を有する断面略円形の筒部材３２と、前記筒部材の断面中心に位置する内方に、差込棒３３を具備するものである。
【００１５】
図３に示すように、フレーム２１は、上片２１１、下片２１３及び側片２１２を側面視コ字形に連設するように折り曲げ加工した板金素材によるものである。さらに、上片の先端側２１１ａにはネジ要素２３を螺装するためのネジ孔２１１ｂを形成している。
【００１６】
クランプ本体２２は、有底円筒体形状を有するもので、底部２２１を有するとともに、上端２２２を開口させて上方から内空２２４にねじ要素２３の一部を収容し得るようにしている。さらに、前記フレーム２１の側片２１２に対向するクランプ本体２２の周壁２２５の位置には、下端２２３から上下方向略中央まで連続する開口窓２２６を設け、この開口窓２２６に前記フレーム２１の上片２１１の先端２１１ａ部分を引き込むことができるように構成し、さらに、開口窓２２６の上方に位置し、前記周壁２２５の外方に向かって正面視長円形状の係合部６たる凸部６１を形成している。また、クランプ本体２２にねじ要素２３を挿通した際に、該ねじ要素２３が前記開口窓２２６から露出するのを防止するために、前記内空２２４には、上端２２２及び下端２２３を開口しクランプ本体２２の内周壁２２７及び開口窓２２６の大きさに対応させて開口窓２２６を閉止する円筒状のカラー２３を収容している。
【００１７】
一方、ネジ要素２３は、頭部２３１と、該頭部下面２３１ａに連続して延出するネジ２３２とからなるものである。さらに、機器部３を立設し得る機器取付部たる差込孔２４を、頭部上面２３１ｂに開口させてねじ要素２３の軸心ｍに沿って形成している。
【００１８】
図４から図６に示すように、機器部３は、コンセント３１１を埋設した方形状の箱体からなる機器本体３１と、前記機器本体３１の下端側に一体的に設けられるとともに、前記ネジ要素２３の頭部２３１を外装し得る直径の周壁３２１を有した筒部材３２と、前記筒部材３２の断面中心に位置する内方に、差込棒３３を具備するものである。なお、機器本体３１の下端３１ａに筒部材３２を一体的に設ける手段として、ネジとナットによる固定や、嵌合などがあげられるが、手段は特に限定するものではない。また、機器部３は、コンセント３１１のほかに、上述した構成のもと、同様に情報コンセント３１２も埋設される。
【００１９】
前記筒部材３２は、有底円筒体形状からなり、有底部３２３と周壁３２１を有する。この周壁３２１の先端３２２は、被係合部７を形成している。具体的には、周壁３２１の円周方向に沿って、先端３２２に凹部７１が連続的に設けられている。図９に示すように、凹部７１が、３０度ピッチの間隔で均等に形成されている。また、図１０に示すように、先端３２２は、周壁３２１を形成する肉厚に対して、若干テーパー処理を施して薄肉部たるテーパー部３２２ａを形成している。前記テーパー部３２２ａは、テーパーによる呼び込み作用により、前記凸部６１と前記凹部７１との係合がスムーズとなり作業性を向上させる。
【００２０】
また、有底部３２ａは、前記有底部３２ａの中心位置から、周壁３２１の長手方向に軸心ｍに沿って、下方に向かって垂設された差込棒３３を形成している。
【００２１】
このような構成からなる機器取付装置１は、次のようにして使用される。すなわち、機器部３を取付けるべき天板６の対応位置、例えば側縁４ａにフレーム２１を配置したうえで、図３に示すように、クランプ本体２２の開口窓２２６にフレーム２１の上片２１１の先端２１１ａを引き込んでネジ孔２１１ｂを位置決めし、ねじ要素２３のネジ２３２をクランプ本体２２の上端より、内空２２４に収容したカラー２３に上方から挿通するとともに、前記ネジ孔２１１ｂに螺入する。ここで、ネジ２３２のネジ孔２１１ｂへの螺進に従ってクランプ本体２２が天板４の上面４１に向かって付勢されることとなり、それと同時にフレーム２２の下片２１３が天板４の下面４２に向かって上動する。しかして、クランプ本体２２の底部２２１が天板４の上面４１に圧接されるとともに、フレーム２１の下片２１３が天板４の下面４２に添接して、これら底部２２１及び下片２１３で天板４を挟持した格好で、このクランプ部２が天板４の所定位置に固定される。
【００２２】
一方、機器部３は、クランプ部２の差込孔２４へ差込棒３３を軸心ｍに沿って下方に向かって嵌入することにより、筒部材３２の周壁３２１の内方に、ネジ要素２３の頭部２３１及びクランプ本体２２を収容するとともに、クランプ本体２２の凸部６１と複数の凹部７１のいずれか一つが係合することにより、この機器部３がクランプ部２に対して、所定の方向に安定して保持される。
【００２３】
このとき、電源５とコンセント３１１との抜き差し操作時には、前記凸部６１と前記凹部７１との係合により所望する方向に位置決めされることにより、機器部３は、不必要に回動せずに、安定した固定状態を得ることが可能となる。
【００２４】
上述のように取り付けられた機器部３は、図１２に示すように、差込棒３３を差込孔２４から若干上方に持ち上げ、前記凸部６１と前記凹部７１を非係合状態にして、コンセント３１１を所望する方向に保持しながら、水平面に対して回動させる。引き続いて、再度、差込棒３３を差込孔２４に嵌入せしめることにより、その方向に適した凸部６１と凹部７１との係合により、所望する角度に安定して固定される。
【００２５】
このとき、機器部３は、位置決めする角度が水平面の複数方向に選択できるように、前記凹部７１と隣り合う凹部７１との間が円周方向に３０度ピッチの均等間隔で形成されているので、所望する方向に変更したい場合に便利である。
【００２６】
次に、本発明の前記以外の実施形態について説明する。なお、以下の各実施形態において、前記第１の実施形態と同一若しくは同等の構成部分については、必要に応じて同一符号を用いるものとし、説明を省略若しくは簡略にする。
【００２７】
＜第２の実施形態＞
第７図は、本発明の第２の実施形態が示されている。この実施形態では、機器部３は、コンセント３１１を埋設した方形状の箱体からなる機器本体３１と、前記機器本体３１の下端側に一体的に設けられるとともに、前記ネジ要素２３の頭部２３１を収容し得る直径の周壁３２１を有した筒部材３２と、前記筒部材３２の断面中心に位置する内方に、差込棒３３を具備するものである。
【００２８】
係合部６は、クランプ部２の開口窓２２４の上方に位置し、前記周壁２２５の外方に外嵌されたリング部材６ａの全周にわたって、一方の端部に鋸刃状凹凸部６２が形成されている。
【００２９】
また、被係合部は、前記リング部材６ａの直径と略等しい直径を有した筒部材３２で構成され、前記筒部材３２の先端３２２には、全周にわたって鋸刃状凹凸部７２が形成されている。
【００３０】
前記鋸刃状凹凸部６２と鋸刃状凹凸部７２とは、それぞれ前記リング部材６ａと前記筒部材３２の直径が略等しく形成され、また、全周にわたって山谷のピッチと高さとが同一で、互いに係合可能に形成されている。
【００３１】
従って、機器部３は、全周にわたって形成された前記鋸刃状凹凸部６２と鋸刃状凹凸部７２により、それぞれ全ての円周領域での係合が可能となり、さらに強固な位置決めが可能となる。
【００３２】
＜第３の実施形態＞
第８図は、本発明の第３の実施形態が示されている。この実施形態では、被係合部７は、前記筒部材３２の断面中心に位置する内方に、差込棒たる軸部７３を具備するものである。前記軸部７３は異形状の断面からなり、図１１に示すように、本実施形態では、鋸刃状の凹凸を有する星型の断面で形成されている。
【００３３】
係合部６は、前記機器部３を保持し得る孔部６３を、頭部上面２３１ｂに開口させてねじ要素２３の軸心ｍに沿って形成している。孔部６３の断面は、前記軸部７３に対応した異形状断面からなり、本実施形態では、鋸刃状の凹凸を有する星型の断面で形成されている。
【００３４】
機器部３は、クランプ部２の孔部６３へ軸部７３を軸心ｍに沿って下方に向かって嵌入することにより、クランプ部２に保持するとともに、前記軸部７３を前記孔部６３に嵌入させることで、位置決めし得ることが可能となる。従って、前記第１及び第２実施例と同様の作用、効果に加えて、クランプ部２の周壁２２５の外方に向かって略長円形状の突起からなる凸部６１や、前記周壁２２５の外方に外嵌されるリング部材６ａなどを形成する必要がなく、部品点数と製造工数を削減できる効果を付加することができる。
【００３５】
なお、機器部３は所望する方向に位置決めが可能であればよく、前記軸部７３と前記孔部６３とは、多角形断面や異型断面などの構成でもよい。また、機器部３は、コンセントや情報コンセントなどの他にも、所望する方向に位置決めされて機器に広く利用される。例えば、鉛筆削り機や書類等のクリップボードなどで構成してもよい。
【００３６】
【発明の効果】
本発明は、以上説明したような形態で実施され、以下に記載されるような効果を奏する。すなわち、本発明の機器取付装置は、クランプ部には、係合部が設けられるとともに、機器部には、被係合部が設けられ、この係合部と被係合部とは、クランプ部に対して、機器部を水平面の複数方向に位置決めする構成とされているため、クランプ部に保持された機器部は、必ず前記クランプ部との係合作用により、テーブル等の天板に位置する作業者の方向に、コンセントや情報コンセントを、所望する水平面の複数方向に位置決めすることができる
また、係合部と被係合部とは、一方が凸部からなり、他方が凸部からなる構成とすることで、位置決めを安定してなし得ることが可能となる。また、凸部は略円形状突起として、凹部は、円周方向に連続的に設けることにより、機器部は、簡便な操作でクランプ部に対して安定して位置決めし得ることが可能となる。
【００３７】
さらに、係合部と被係合部とは、いずれも円周方向に連続的な鋸刃状、または波状に構成することで、円周方向の円周領域にて係合が可能となる。好ましくは、全円周方向にわたって、互いに係合可能な鋸刃状凹凸部６２で構成することにより、円周方向の全周領域にて係合し合うことで、より強固な位置決めが可能となる。
【００３８】
また、係合部と被係合部とは、一方が軸部からなり、他方が孔部からなる構成とすることで、位置決めを安定してなし得ることが可能となる。さらに、軸部は、多角形状または異形状の断面とし、孔部は、前記軸部に対応した孔形状とすることで、構造の簡易化を図ることが可能となる。
【図面の簡単な説明】
【図１】本発明の第１実施例を使用状態において示す正面斜視図。
【図２】同背面斜視図
【図３】クランプ部の構造を示す分解斜視図。
【図４】本発明の第１実施例を示す側面図。
【図５】機器部の一例を示す正面斜視図。
【図６】機器部の他の例を示す正面斜視図。
【図７】本発明の第２実施例を示す側面図。
【図８】本発明の第３実施例を示す側面図。
【図９】図４におけるＡ−Ａ線断面図。
【図１０】図９におけるＢ−Ｂ線断面図。
【図１１】図８におけるＣ−Ｃ線断面図。
【図１２】図２における機器部を所定方向に回動させて位置決めした状態の背面斜視図。
【符号の説明】
１…機器取付装置
２…クランプ部
３…機器部
４…天板
５…電源
６…係合部
７…被係合部
２１…フレーム
２２…クランプ本体
２３…ネジ要素
３１…機器本体
３２…筒部材
３３…差込棒
６１…凸部
６２…鋸刃状凹凸部
６２ａ…リング部材
６３…孔部
７１…凹部
７２…鋸刃状凹凸部
７３…軸部
ｍ…軸心
【図１】
2004125026.tif 000003
【図２】
2004125026.tif 000004
【図３】
2004125026.tif 000005
【図４】
2004125026.tif 000006
【図５】
2004125026.tif 000007
【図６】
2004125026.tif 000008
【図７】
2004125026.tif 000009
【図８】
2004125026.tif 000010
【図９】
2004125026.tif 000011
【図１０】
2004125026.tif 000012
【図１１】
2004125026.tif 000013
【図１２】
2004125026.tif 000014